(57)【要約】      （修正有）【課題】キャビネットを天井に埋め込んで設置する場合にも指向性が広くなり、埋め込まれたスピーカーの直下と、スピーカーから離れた位置とで音圧レベル差が少なくなる天井埋込型スピーカーを提供する。【解決手段】天井埋込型スピーカー１は、キャビネット１０と、キャビネットに取り付けられて天井面よりも下方側の空間に音波を放射する少なくとも１つのスピーカーユニット２１、２２と、を備える天井埋込型スピーカーであって、キャビネットが、天井面よりも奥まった上方側に規定される平面を含む平面部１１と、平面と天井面とを繋ぐ環状の側壁面を規定する側壁部１６と、平面部の外周側において平面から下方側に突出し、かつ、側壁部から下方側に突出しないようにスピーカーユニット２２を取り付ける取付部１２と、を有する。スピーカーユニット２２は、側壁面１７にその振動板が近づくように傾けられて取付部に取り付けられる。【選択図】図２
2020178146.tif 000002
【特許請求の範囲】
【請求項１】
天井面の取付孔に埋め込むように取り付けられるキャビネットと、該キャビネットに取り付けられて該天井面よりも下方側の空間に音波を放射する少なくとも１つのスピーカーユニットと、を備える天井埋込型スピーカーであって、
該キャビネットが、該天井面よりも奥まった上方側に規定される平面を含む平面部と、該平面と該天井面とを繋ぐ環状の側壁面を規定する側壁部と、該平面部の外周側において該平面から下方側に突出し、かつ、該側壁部から下方側に突出しないように該スピーカーユニットを取り付ける取付部と、を有し、
該スピーカーユニットが、該側壁部にその振動板が近づくように傾けられて該取付部に取り付けられる、
天井埋込型スピーカー。
【請求項２】
前記キャビネットが、前記側壁部から外周側に突出して前記天井面の前記取付孔を規定する縁部に係止するフランジ部をさらに有し、
該側壁部の前記側壁面を規定する断面が、該フランジ部に対して接する円弧を含み、かつ、内周側に略凸状に形成されている、
請求項１に記載の天井埋込型スピーカー。
【請求項３】
前記キャビネットの前記取付部が、前記側壁面並びに前記平面に対して傾斜する前記スピーカーユニットの取付面を含み、該取付面の面積が、該平面よりも十分に狭くなるように形成されている、
請求項１または２に記載の天井埋込型スピーカー。
【請求項４】
前記キャビネットの前記側壁部が略円環の形状に形成され、少なくとも同一の２つの前記スピーカーユニットが、該略円環を規定する中心点を挟んで点対称に配置されて、同相関係となる音波を放射するように接続されている、
請求項１から３のいずれかに記載の天井埋込型スピーカー。
【請求項５】
前記スピーカーユニットが、所定の周波数以上の高音域の音波を放射するツィーターであり、該高音域の音波よりも低い周波数を含む音波を下方側に放射する第２のスピーカーユニットが、前記キャビネットの前記平面部の前記平面にさらに取り付けられている、
請求項１から４のいずれかに記載の天井埋込型スピーカー。
【請求項６】
少なくとも前記取付部および前記平面を覆い、かつ、前記フランジ部から下方側に突出しないように前記キャビネットに取り付けられる枠体を有し、前記スピーカーユニットから放射される音波が通過する窓部を有するグリルをさらに備える、
請求項２から５のいずれかに記載の天井埋込型スピーカー。
【発明の詳細な説明】
【技術分野】
【０００１】
本発明は、天井埋込型スピーカーに関し、特に、キャビネットを天井に埋め込んで設置する場合にも指向性が広くなり、埋め込まれたスピーカーの直下と、スピーカーから離れた位置とで音圧レベル差が少なくなる天井埋込型スピーカーに関する。
【背景技術】
【０００２】
建築物の室内の天井に設置される天井埋込型スピーカーは、室内の人物にアナウンス、音楽、等の音声を伝達する拡声用途に用いられる。天井埋込型スピーカーは、大きな店舗等の室内もしくは長い廊下などに設置される場合には、同じ音声を再生するように複数が接続されて適度な設置間隔をおいて配置される場合がある。
【０００３】
ただし、直接放射型のスピーカーを単に天井に埋め込むように設置してしまうと、指向性が狭い故に室内に於いて音圧レベル差が大きくなり易いという問題がある。この様な場合には、振動板が振動する軸上正面方向である真下側の音圧レベルが高くなり、一方で軸上正面方向以外の位置、つまり、スピーカーから離れた位置では音圧レベルが低くなり易いからである。直接放射型のスピーカーの指向性は、振動板から放射する音波の波長が短くなる高音域において、正面側に強く、狭くなりやすい。その結果、室内に於いて再生される音声がうるさい場所と聞こえにくい場所とが生じてしまうという問題がある。
【０００４】
そこで、それぞれの天井埋込型スピーカーには、指向性が広いことが求められる。指向性が広ければ、１つの天井埋込型スピーカーであっても室内に於いて再生される音声の音圧レベルの差が小さくなることが期待される。また、指向性が広ければ、複数の天井埋込型スピーカーを設置する場合であっても、単位面積当たりの設置数を減らすことができ、コスト増加を防ぐことができる。
【０００５】
例えば、従来の特許文献１には、音エネルギー源、音エネルギーを支持するハウジングであって、音エネルギー源によって生じられた音エネルギーをハウジングの外に指向すべく出来る通路と、通路から出る音エネルギーの少なくとも一部を回析してハウジングの垂直軸心に向かって指向する底壁とを有し、これによって拡声器から放射方向下方への音エネルギーの配分を形成するように成ったハウジングを備えて成る天井取付拡声器が、開示されている。
【０００６】
また、従来の特許文献２には、部屋の天井に設置する天井スピーカー装置であって、同一パッケージ内に直接音発生用スピーカーと反射音発生用スピーカーとを備え、直接音発生用スピーカーは、メインスピーカであって、その音声の放射方向が鉛直方向直下を向く姿勢でパッケージ内に固定し、反射音発生用スピーカーは、指向性スピーカーであって、その音声の放射方向が鉛直方向に対して３０度〜７５度の範囲の角度で部屋の下方側壁方向を向くようにパッケージ内に固定することにより、部屋の特定領域における反射音発生用スピーカーから出力される音の定位を、直接音発生用スピーカーから出力される音の定位よりも下げることを特徴とする天井スピーカー装置が、開示されている。
【０００７】
ただし、従来の天井埋込型スピーカーは、例えば従来の特許文献３に図示されるように、天井面にほぼ音響的なキャビネットが埋め込まれて、天井面よりも下方側に突出する部分が少ないことが望ましい場合が多くある。天井埋込型スピーカーは、天井面よりも下方側に突出する部分が少なくなるように構成すると、指向特性を広くするのが困難になりやすいという問題がある。また、天井埋込型スピーカーは、指向性を改善するためであっても、天井面よりも下方側に突出する部分が多くなると、美観、見栄えが悪くなり好まれない場合がある。
【先行技術文献】
【特許文献】
【０００８】
【特許文献１】特開平７−３１２７９２号公報
【特許文献２】特許第５５７７９４９号公報
【特許文献３】特許第４１６１９９５号公報
【発明の概要】
【発明が解決しようとする課題】
【０００９】
本発明は、上記の従来技術が有する問題を解決するためになされたものであり、その目的は、天井埋込型スピーカーに関し、キャビネットを天井に埋め込んで設置する場合にも指向性が広くなり、埋め込まれたスピーカーの直下と、スピーカーから離れた位置とで音圧レベル差が少なくなる天井埋込型スピーカーを提供することにある。
【課題を解決するための手段】
【００１０】
本発明の天井埋込型スピーカーは、天井面の取付孔に埋め込むように取り付けられるキャビネットと、キャビネットに取り付けられて天井面よりも下方側の空間に音波を放射する少なくとも１つのスピーカーユニットと、を備える天井埋込型スピーカーであって、キャビネットが、天井面よりも奥まった上方側に規定される平面を含む平面部と、平面と天井面とを繋ぐ環状の側壁面を規定する側壁部と、平面部の外周側において平面から下方側に突出し、かつ、側壁部から下方側に突出しないようにスピーカーユニットを取り付ける取付部と、を有し、スピーカーユニットが、側壁部にその振動板が近づくように傾けられて取付部に取り付けられる。
【００１１】
好ましくは、本発明の天井埋込型スピーカーは、キャビネットが、側壁部から外周側に突出して天井面の取付孔を規定する縁部に係止するフランジ部をさらに有し、側壁部の側壁面を規定する断面が、フランジ部に対して接する円弧を含み、かつ、内周側に略凸状に形成されている。
【００１２】
また、好ましくは、本発明の天井埋込型スピーカーは、キャビネットの取付部が、側壁面並びに平面に対して傾斜するスピーカーユニットの取付面を含み、取付面の面積が、平面よりも十分に狭くなるように形成されている。
【００１３】
また、好ましくは、本発明の天井埋込型スピーカーは、キャビネットの側壁部が略円環の形状に形成され、少なくとも同一の２つのスピーカーユニットが、略円環を規定する中心点を挟んで点対称に配置されて、同相関係となる音波を放射するように接続されている。
【００１４】
また、好ましくは、本発明の天井埋込型スピーカーは、スピーカーユニットが、所定の周波数以上の高音域の音波を放射するツィーターであり、高音域の音波よりも低い周波数を含む音波を下方側に放射する第２のスピーカーユニットが、キャビネットの平面部の平面にさらに取り付けられている。
【００１５】
また、好ましくは、本発明の天井埋込型スピーカーは、少なくとも取付部および平面を覆い、かつ、フランジ部から下方側に突出しないようにキャビネットに取り付けられる枠体を有し、スピーカーユニットから放射される音波が通過する窓部を有するグリルをさらに備える。
【００１６】
以下、本発明の作用について説明する。
【００１７】
本発明の天井埋込型スピーカーは、天井面の取付孔に埋め込むように取り付けられるキャビネットと、キャビネットに取り付けられて天井面よりも下方側の空間に音波を放射する少なくとも１つのスピーカーユニットと、を備える。キャビネットは、天井面よりも奥まった上方側に規定される平面を含む平面部と、平面と天井面とを繋ぐ環状の側壁面を規定する側壁部と、平面部の外周側において平面から下方側に突出し、かつ、側壁部から下方側に突出しないようにスピーカーユニットを取り付ける取付部と、を有する。
【００１８】
ここで、スピーカーユニットは、側壁部にその振動板が近づくように傾けられて取付部に取り付けられる。したがって、本発明の天井埋込型スピーカーは、傾けて取り付けられた直接放射型の電機音響変換器であるスピーカーの振動板から放射された音波を側壁部の側壁面に反射させることで、スピーカーユニットを側壁部から下方側に突出しないように、つまり、天井面から下方側にほぼ突出しないように取り付けるにも係わらず指向性を広くすることができ、天井埋込型スピーカーの直下と天井埋込型スピーカーから離れた位置とでの音圧レベル差を少なくすることができる。
【００１９】
好ましくは、天井埋込型スピーカーは、キャビネットが、側壁部から外周側に突出して天井面の取付孔を規定する縁部に係止するフランジ部をさらに有し、側壁部の側壁面を規定する断面が、フランジ部に対して接する円弧を含み、かつ、内周側に略凸状に形成されているようにすればよい。また、キャビネットの取付部が、側壁面並びに平面に対して例えば約４５度の角度で傾斜するスピーカーユニットの取付面を含み、取付面の面積が平面よりも十分に狭くなるように形成されるようにするのが好ましい。反射させる側壁面の断面形状を適切に設計する、あるいは、取付部の取付面を最小化して影響を最小化することで、天井埋込型スピーカーが放射する音波の音圧周波数特性に生じるピーク・ディップを抑制して、より好ましい音声再生を実現することができる。
【００２０】
天井埋込型スピーカーは、キャビネットの側壁部が略円環の形状に形成され、少なくとも同一の２つのスピーカーユニットが、略円環を規定する中心点を挟んで点対称に配置されて、同相関係となる音波を放射するように接続されているようにしてもよい。また、スピーカーユニットが、所定の周波数以上の高音域の音波を放射するツィーターであり、高音域の音波よりも低い周波数を含む音波を下方側に放射する第２のスピーカーユニットが、キャビネットの平面部の平面にさらに取り付けられているようにしてもよい。全帯域において指向性を広くすることができ、天井埋込型スピーカーの直下と天井埋込型スピーカーから離れた位置とでの音圧レベル差を少なくすることができる。
【００２１】
また、天井埋込型スピーカーは、少なくとも取付部および平面を覆い、かつ、フランジ部から下方側に突出しないようにキャビネットに取り付けられる枠体を有し、スピーカーユニットから放射される音波が通過する窓部を有するグリルをさらに備えるようにしてもよい。指向性が改善された天井埋込型スピーカーであっても、天井面よりも下方側に突出する部分が少なくなるようにグリルで覆うことができ、見栄えが良くなる利点がある。
【発明の効果】
【００２２】
本発明の天井埋込型スピーカーは、キャビネットを天井に埋め込んで設置する場合にも指向性が広くなり、埋め込まれたスピーカーの直下と、スピーカーから離れた位置とで音圧レベル差を少なくすることができる。
【図面の簡単な説明】
【００２３】
【図１】本発明の天井埋込型スピーカーの具体的な構造を示す斜視図である。
【図２】本発明の天井埋込型スピーカーの具体的な構造を示す一部断面図である。
【図３】本実施例の天井埋込型スピーカーのＸ−Ｚ平面における基準化した指向音圧周波数特性を示すグラフである。
【図４】本実施例の天井埋込型スピーカーのＹ−Ｚ平面における基準化した指向音圧周波数特性を示すグラフである。
【図５】本実施例のウーファーを含む天井埋込型スピーカーのＸ−Ｚ平面における基準化した指向音圧周波数特性を示すグラフである。
【図６】本実施例のウーファーを含む天井埋込型スピーカーのＹ−Ｚ平面における基準化した指向音圧周波数特性を示すグラフである。
【図７】比較例のウーファーを含む天井埋込型スピーカーのＸ−Ｚ平面における基準化した指向音圧周波数特性を示すグラフである。
【図８】本発明の他の実施例の天井埋込型スピーカーの具体的な構造を示す一部断面図である。
【図９】他の実施例の天井埋込型スピーカーのＸ−Ｚ平面における基準化した指向音圧周波数特性を示すグラフである。
【図１０】他の実施例の天井埋込型スピーカーのＹ−Ｚ平面における基準化した指向音圧周波数特性を示すグラフである
【図１１】本発明の他の実施例の天井埋込型スピーカーの具体的な構造を示す一部断面図である。
【図１２】他の実施例の天井埋込型スピーカーのＸ−Ｚ平面における基準化した指向音圧周波数特性を示すグラフである。
【図１３】他の実施例の天井埋込型スピーカーのＹ−Ｚ平面における基準化した指向音圧周波数特性を示すグラフである。
【発明を実施するための形態】
【００２４】
以下、本発明の好ましい実施形態による天井埋込型スピーカーについて説明するが、本発明はこれらの実施形態には限定されない。
【実施例１】
【００２５】
図１および図２は、本発明の好ましい実施形態による天井埋込型スピーカー１について説明する斜視図である。具体的には、図１は、図示するＸ−Ｙ平面上に広がる天井面２に取り付けた天井埋込型スピーカー１を室内側からＺ軸方向に見上げる様な斜視図であり、図２は、天井埋込型スピーカー１の中心点Ｏを下向きに通過する中心軸Ｕを含むＸ−Ｚ平面上でのＡ−Ｏ断面図である。なお、以下の説明および図では、本発明の説明に不要な構成の説明および図示を省略する。
【００２６】
本実施形態の天井埋込型スピーカー１は、天井面２を構成する板材に設けられた円孔である取付孔３に、そのキャビネット１０が埋め込まれるように取り付けられる。天井埋込型スピーカー１は、キャビネット１０と、キャビネット１０に取り付けられた電気音響変換器であるスピーカーユニット２１、２２および２３を含む。スピーカーユニット２１、２２および２３は、それぞれの音波を放射する振動板が天井面２の下側の室内空間５に向けて露出するように取り付けられている。したがって、天井埋込型スピーカー１は、天井面２の上側の空間４には音波を放射せずに、天井面２の下側の室内空間５に音波を放射する。
【００２７】
天井埋込型スピーカー１は、室内空間５への拡声用途に用いられるので、同じ音声を再生するように複数が接続されて適度な設置間隔をおいて配置される場合がある。天井埋込型スピーカー１には、指向性が広いこと、つまり、天井埋込型スピーカー１の真下側である中心軸Ｕの方向（指向角度θ＝０度）の音圧レベルと、天井埋込型スピーカー１の真下側から離れた指向角度θ（ただし、その絶対値が９０度以下）の方向の音圧レベルと、の差が小さいことが求められる。
【００２８】
天井埋込型スピーカー１は、樹脂で形成された筐体であるキャビネット１０を含む。キャビネット１０の筐体は、音響容量として機能する略円筒形状の空間を規定し、天井面２よりも奥まった上方側に規定される平面１１ａを含む平面部１１の中央にスピーカー２１が取り付けられている。スピーカーユニット２１は、口径が約１０ｃｍの振動板を備え、所定の周波数以下の音波を放射するウーファーである。
【００２９】
また、キャビネット１０は、平面部１１の平面１１ａと天井面２とを繋ぐ環状の側壁面１７を規定する側壁部１６と、側壁部１６から外周側に突出して天井面２の取付孔３を規定する縁部に係止するフランジ部１８と、を有する。この天井埋込型スピーカー１では、取付孔３の縁部に係止するフランジ部１８だけが天井面２よりも下方側に突出するので、天井スピーカーとしての見栄えが良くなり美観的に好ましい印象を与える。
【００３０】
天井埋込型スピーカー１のキャビネット１０は、側壁部１６に近い平面部１１の外周側において平面部１１の平面１１ａから下方側に突出し、かつ、側壁部１６から下方側に突出しないようにスピーカーユニット２２または２３をそれぞれ取り付ける取付部１２または１３を備える。スピーカーユニット２２および２３は、同一のスピーカーユニットであり、小口径のドーム振動板を備え、所定の周波数以上の音波を放射するツィーターである。したがって、スピーカーユニット２２および２３は、スピーカーユニット２１に比較して小型であり、平面部１１の外周側において平面１１ａから下方側に突出し、かつ、天井面２から下方側にほぼ突出しないように取付部１２または１３にそれぞれ取り付けることができる。
【００３１】
キャビネット１０の取付部１２は、側壁面１７並びに平面１１ａに対して約４５度の角度で傾斜するスピーカーユニット２２を取り付ける取付面１２ａを含む。取付面１２ａの面積は、平面部１１の平面１１ａよりも十分に狭くなるように形成されている。つまり、取付面１２ａの面積は、スピーカーユニット２２を取り付けるのに必要な最小の面積を確保する程度に狭く設定しているので、その結果、平面部１１の平面１１ａよりも十分に狭くなる。
【００３２】
キャビネット１０の取付部１３も同様に、側壁面１７並びに平面１１ａに対して約４５度の角度で傾斜するスピーカーユニット２３を取り付ける取付面１３ａを含む。取付面１３ａの面積は、平面部１１の平面１１ａよりも十分に狭くなるように形成されている。
【００３３】
天井埋込型スピーカー１のキャビネット１０は、天井面２の円孔である取付孔３に取り付けられる様になっているので、キャビネット１０の側壁部１６およびフランジ部１８は、取付孔３に対応する略円環の形状に形成されている。本実施例の場合には、側壁部１６およびフランジ部１８の断面形状は周方向に一様であって、図２に示すように、側壁部１６の側壁面１７を規定する断面が、フランジ部１８に対して接する円弧を含み、かつ、内周側に膨らんで突出するように略凸状に形成されている。
【００３４】
スピーカーユニット２２および２３は、側壁部１６に近い平面部１１の外周側において、それぞれの振動板が天井埋込型スピーカー１の中心点Ｏから外周側に向くように傾斜した取付面を有する取付部１２また１３に取り付けられている。したがって、振動板から放射された音波は側壁部１６の側壁面１７で反射し、側壁部１６の側壁面１７並びにフランジ部１８の形状は、天井埋込型スピーカー１の指向特性に影響を与える。
【００３５】
図３は、天井埋込型スピーカー１のスピーカーユニット２２のＸ−Ｚ平面における基準化した指向音圧周波数特性（１ｋＨｚ〜２０ｋＨｚ）を示すグラフである。同様に、図４は、天井埋込型スピーカー１のスピーカーユニット２２のＹ−Ｚ平面における基準化した指向音圧周波数特性（１ｋＨｚ〜２０ｋＨｚ）を示すグラフである。
【００３６】
図３および図４では、指向角度θが０度、３０度、６０度、７０度、８０度、並びに９０度の場合をグラフ表示している。各指向角度における音圧特性のグラフは、中心軸Ｕの方向である指向角度θ＝０度の音圧レベルにより基準化して表示している。したがって、θ＝０度の特性は全周波数に渡って０ｄＢである。また、基準化した指向音圧周波数特性では、指向特性が指向角度に応じて変化しない指向特性の広い天井埋込型スピーカーであるほど、どの周波数でもグラフ表示されるレベルは０ｄＢに近くなる。一方で、指向特性が狭くなるほど、指向角度θが大きくなるに連れてグラフ表示されるレベルは０ｄＢから離れてしまうことになる。
【００３７】
本実施例の天井埋込型スピーカー１では、同一の２つのスピーカーユニット２２および２３は、略円環を規定する中心点Ｏを挟んで点対称に配置されて、同相関係となる音波を放射するように接続されている。つまり、２つのスピーカーユニット２２および２３は、中心点Ｏから中心に１８０度の間隔で配置されている。
【００３８】
したがって、図２に示すＸ−Ｚ平面の断面では、線対称となる右半分の図示を省略している。また、図３および図４並びに後述する指向特性のグラフにおいても、指向角度θが０度以上、９０度以下の範囲を現している。なお、同一の２つのスピーカーユニット２２および２３は、同相関係となる音波を放射するように並列に接続されていても、または直列に接続されていてもよい。
【００３９】
ただし、天井埋込型スピーカー１のＹ−Ｚ平面における断面にはスピーカーユニット２２および２３は含まれないことになるので、Ｙ−Ｚ平面おける指向特性（図４）は、Ｘ−Ｚ平面における指向特性（図３）とは異なっている。それでも天井埋込型スピーカー１は、図３および図４のグラフに示すように、１ｋＨｚ以上の高音域の周波数においてＸ−Ｚ平面でもＹ−Ｚ平面でも指向特性が指向角度に応じた変化が小さくなり、指向特性が広いことを示している。特に、指向角度θ＝３０度または６０度の場合に、１０ｋＨｚ以上の高い周波数帯域がほとんど±１０ｄＢ以内に収まる程度に減衰していない。
【００４０】
図５は、ウーファーであるスピーカーユニット２１からの放射音をさらに含む天井埋込型スピーカー１のＸ−Ｚ平面における基準化した指向音圧周波数特性（２０Ｈｚ〜２０ｋＨｚ）を示すグラフである。同様に、図６は、スピーカーユニット２１からの放射音をさらに含む天井埋込型スピーカー１のＹ−Ｚ平面における基準化した指向音圧周波数特性（２０Ｈｚ〜２０ｋＨｚ）を示すグラフである。なお、図５〜図７でも、指向角度θが０度、３０度、６０度、７０度、８０度、並びに９０度の場合をグラフ表示している
【００４１】
一方で、図７は、比較例としての他の（図示しない）天井埋込型スピーカー１００のＸ−Ｚ平面における基準化した指向音圧周波数特性（２０Ｈｚ〜２０ｋＨｚ）を示すグラフである。比較例の天井埋込型スピーカー１００は、天井埋込型スピーカー１のスピーカーユニット２１のようにキャビネットのほぼ中央に取り付けられたフルレンジ型スピーカーのみを備える一般的な天井埋込型スピーカーである。
【００４２】
天井埋込型スピーカー１は、図５および図６のグラフに示すように、スピーカーユニット２１をさらに含む場合にも、Ｘ−Ｚ平面でもＹ−Ｚ平面でも指向特性が指向角度に応じた変化が小さくなり、指向特性が広いことを示している。一方で、従来の比較例の天井埋込型スピーカー１００は、図７のグラフに示すように、指向角度が大きくなるに連れて２ｋＨｚ以上の高い周波数帯域が著しく減衰していることがわかる。指向角度θ＝３０度または６０度の場合に、指向角度θが０度の場合との差が大きい。
【００４３】
本実施例の天井埋込型スピーカー１の側壁部１６は、側壁面１７を規定する断面がフランジ部１８に対して接する円弧を含み、かつ、内周側に略凸状に形成されている。その結果、外周側に向くように傾斜した取付面１２ａを有する取付部１２また１３に取り付けられているスピーカーユニット２２の振動板から放射された音波は、側壁部１６の側壁面１７で反射するものの、その影響が少なくなる。また、取付部１２の取付面１２ａの面積は、スピーカーユニット２２を取り付けるのに必要な最小の面積を確保する程度に狭く設定しているので、スピーカーユニット２２の振動板から放射された音波が反射する影響は、比較的に小さくなる。
【００４４】
図３〜図６の指向特性のグラフには、上記の結果が現れており、天井埋込型スピーカー１は、天井に埋め込んで設置する場合にも指向性が広くなる。
【実施例２】
【００４５】
図８は、本発明の他の好ましい実施形態による天井埋込型スピーカー１ａについて説明する斜視図である。具体的には、図８は、天井埋込型スピーカー１ａの中心点Ｏを下向きに通過する中心軸Ｕを含むＸ−Ｚ平面上でのＡ−Ｏ断面図である。本実施例の天井埋込型スピーカー１ａは、そのキャビネット１０ａの側壁部１６ａおよび側壁面１７ａの形状のみが、先の実施例の天井埋込型スピーカー１と相違する。したがって、以下の説明および図では、本発明の説明に不要な構成の説明および図示を省略する。
【００４６】
天井埋込型スピーカー１ａのキャビネット１０ａの側壁部１６ａは、図８に示すように、平面部１１の平面に対して直交するような略円筒形の内径面である側壁面１７ａを有する。本実施例の場合にも、側壁部１６ａおよびフランジ部１８の断面形状は周方向に一様であって、図８に示すように、側壁部１６ａおよびフランジ部１８は、取付孔３に対応する略円環の形状に形成されている。
【００４７】
スピーカーユニット２２または２３は、側壁部１６ａに近い平面部１１の外周側において、振動板が天井埋込型スピーカー１ａの中心点Ｏから外周側に向くように傾斜した取付面を有する取付部１２または１３に取り付けられている。したがって、振動板から放射された音波は側壁部１６ａの側壁面１７ａで反射し、側壁部１６ａの側壁面１７ａ並びにフランジ部１８の形状は、天井埋込型スピーカー１ａの指向特性に影響を与える。
【００４８】
図９は、天井埋込型スピーカー１ａのスピーカーユニット２２のＸ−Ｚ平面における基準化した指向音圧周波数特性（１ｋＨｚ〜２０ｋＨｚ）を示すグラフであり、先の実施例の図３と同様なグラフである。同様に、図１０は、天井埋込型スピーカー１ａのスピーカーユニット２２のＹ−Ｚ平面における基準化した指向音圧周波数特性（１ｋＨｚ〜２０ｋＨｚ）を示すグラフであり、先の実施例の図４と同様なグラフである。
【００４９】
本実施例の天井埋込型スピーカー１ａは、図９および図１０のグラフに示すように、１ｋＨｚ以上の高音域の周波数においてＸ−Ｚ平面でもＹ−Ｚ平面でも指向特性が指向角度に応じた変化が小さく、指向特性が広いことを示している。図３および図４のグラフに示す先の実施例の天井埋込型スピーカー１よりも側壁面１７ａでの反射の影響が大きいものの、指向角度θ＝３０度の場合に、１０ｋＨｚ以上の高い周波数帯域がほとんど±１０ｄＢ以内に収まる程度に減衰していない。つまり、天井埋込型スピーカー１ａは、天井に埋め込んで設置する場合にも指向性が広くなる。
【実施例３】
【００５０】
図１１は、本発明の他の好ましい実施形態による天井埋込型スピーカー１ｂについて説明する斜視図である。具体的には、図１１は、天井埋込型スピーカー１ｂの中心点Ｏを下向きに通過する中心軸Ｕを含むＸ−Ｚ平面上でのＡ−Ｏ断面図である。本実施例の天井埋込型スピーカー１ｂは、そのキャビネット１０ｂの側壁部１６ｂおよび側壁面１７ｂの形状のみが、先の実施例の天井埋込型スピーカー１または１ａと相違する。したがって、以下の説明および図では、本発明の説明に不要な構成の説明および図示を省略する。
【００５１】
天井埋込型スピーカー１ｂのキャビネット１０ａの側壁部１６ｂは、図１１に示すように、側壁部１６ｂの側壁面１７ｂを規定する断面が、フランジ部１８に対してほぼ直交する円弧を含み、かつ、内周側に略凹状に形成されている。本実施例の場合にも、側壁部１６ｂおよびフランジ部１８の断面形状は周方向に一様であって、図１１に示すように、側壁部１６ｂおよびフランジ部１８は、取付孔３に対応する略円環の形状に形成されている。
【００５２】
スピーカーユニット２２は、側壁部１６ｂに近い平面部１１の外周側において、振動板が天井埋込型スピーカー１ｂの中心点Ｏから外周側に向くように傾斜した取付面を有する取付部１２また１３に取り付けられている。したがって、振動板から放射された音波は側壁部１６ｂの側壁面１７ｂで反射し、側壁部１６ｂの側壁面１７ｂ並びにフランジ部１８の形状は、天井埋込型スピーカー１ｂの指向特性に影響を与える。
【００５３】
図１２は、天井埋込型スピーカー１ｂのスピーカーユニット２２のＸ−Ｚ平面における基準化した指向音圧周波数特性（１ｋＨｚ〜２０ｋＨｚ）を示すグラフであり、先の実施例の図３または図９と同様なグラフである。同様に、図１３は、天井埋込型スピーカー１ｂのスピーカーユニット２２のＹ−Ｚ平面における基準化した指向音圧周波数特性（１ｋＨｚ〜２０ｋＨｚ）を示すグラフであり、先の実施例の図４または図１０と同様なグラフである。
【００５４】
本実施例の天井埋込型スピーカー１ｂは、図１２および図１３のグラフに示すように、１ｋＨｚ以上の高音域の周波数においてＸ−Ｚ平面でもＹ−Ｚ平面でも指向特性が指向角度に応じた変化が小さく、指向特性が広いことを示している。図３、図４、図９および図１０のグラフに示す先の実施例の天井埋込型スピーカー１または１ａよりも側壁面１７ｂでの反射の影響が大きいものの、指向角度θ＝３０度の場合に、１０ｋＨｚ以上の高い周波数帯域がほとんど±１０ｄＢ以内に収まる程度に減衰していない。つまり、天井埋込型スピーカー１ｂは、天井に埋め込んで設置する場合にも指向性が広くなる。
【００５５】
なお、天井埋込型スピーカー１、１ａまたは１ｂは、図１、図２、図８または図１１においては省略して図示しないグリルをさらに備えるようにしてもよい。スピーカーユニット２１、２２および２３を保護するグリルは、平面部１１および側壁部１６を覆い、かつ、フランジ部１８から大きく下方側に突出しないようにキャビネット１０に取り付けられる枠体を有し、スピーカーユニット２１、２２および２３から放射される音波が通過する窓部を有するようにすればよい。グリルは、枠体の窓部を覆うネット、網、パンチングメタル、等を備えていても良い。
【００５６】
また、天井埋込型スピーカー１、１ａまたは１ｂにおいて、キャビネット１０、１０ａまたは１０ｂは、天井面２の円孔である取付孔３に取り付けられる様になっているので、その側壁部１６、１６ａまたは１６ｂおよびフランジ部１８は、取付孔３に対応する略円環の形状に形成されている。ただし、取付孔３が矩形の場合には、キャビネット１０は取付孔３に対応する矩形の環状の形状を備えていればよい。
【００５７】
天井埋込型スピーカー１のキャビネット１０の筐体は、音響容量として機能する略円筒形状の空間を規定しなくてもよい。また、キャビネット１０の取付部１２の取付面１２ａは、側壁面１７並びに平面１１ａに対して約４５度の角度でなくても、側壁部にその振動板が近づくように傾けられていればよい。
【００５８】
また、上記実施例のスピーカーユニット２１、２２または２３は、動電型の電機音響変換器である動電型スピーカーに限られない。スピーカーユニット２１、２２または２３は、いずれかが圧電型または静電型といった他の電機音響変換器によるスピーカーを用いてもよい。
【産業上の利用可能性】
【００５９】
本発明の天井埋込型スピーカーは、図示するような天井面への取付に限らず、室内を構成する壁面に埋め込むように取り付ける埋込型スピーカーに適用してもよい。
【符号の説明】
【００６０】
１、１ａ、１ｂ      天井埋込型スピーカー
２                  天井面
３                  取付孔
１０ａ、１０ｂ、１０ｃ                キャビネット
１１                平面部
１２、１３          取付部
１６ａ、１６ｂ、１６ｃ        側壁部
１７ａ、１７ｂ、１７ｃ        側壁面
１８                フランジ部
２１、２２、２３      スピーカーユニット
【図１】
2020178146.tif 000003
【図２】
2020178146.tif 000004
【図３】
2020178146.tif 000005
【図４】
2020178146.tif 000006
【図５】
2020178146.tif 000007
【図６】
2020178146.tif 000008
【図７】
2020178146.tif 000009
【図８】
2020178146.tif 000010
【図９】
2020178146.tif 000011
【図１０】
2020178146.tif 000012
【図１１】
2020178146.tif 000013
【図１２】
2020178146.tif 000014
【図１３】
2020178146.tif 000015